(57)【要約】【課題】  保冷コンテナを、蓄冷剤、走行用エンジンの動力を利用しないで、保管物を移動式で保冷する。【解決手段】  移動式保冷コンテナ１は、後部に扉２を設けた箱体３と、箱体３の底板３０の前部下面に形成される前脚４と、箱体３の底板３０の後部下面に形成されるローラ付後脚５と、コンテナ脱着装置付車両１００に搭載する場合に案内するため底板３０の下面にガイド６と、箱体３をコンテナ脱着装置付車両１００に固縛するために底板３０の下面に設けた固縛装置７と、箱体３の前板３１に固定される掛合部材８と、箱体３の内部に設けた発電機９と、発電機９から電気の供給を受ける箱体３内を保冷する保冷装置１０と、を備え、車両１００に搭載されるとき、車両１００のフック１０１で掛合部材８を引っ掛けて車両１００の前方に移動させ、車両１００から降ろすとき、車両１００のフック１０１で掛合部材８を引っ掛けて車両１００の後方に移動させる。【選択図】  図１
2012056631.tif 000002
【特許請求の範囲】
【請求項１】
後部又は側部に扉を設けた箱体と、
箱体の底板に形成される前脚と、
箱体の底板に形成されるローラ付後脚と、
コンテナ脱着装置付き車両に搭載する場合に案内するガイドと、前記箱体を前記コンテナ脱着装置付き車両に固縛する固縛装置と、
前記箱体の前板に固定される掛合部材と、
前記箱体の内部に設けた発電機と、
該発電機から電気の供給を受ける前記箱体内を保冷する保冷装置と、を備え、
コンテナ脱着装置付車両に搭載されるときには、前記コンテナ脱着装置付き車両のフックで前記掛合部材を引っ掛けて前記車両の前方に移動させ、
コンテナ脱着装置付車両から降ろすときには、前記コンテナ脱着装置付き車両のフックで前記掛合部材を引っ掛けて前記車両の後方に移動させることを特徴とする移動式保冷コンテナ。
【発明の詳細な説明】
【技術分野】
【０００１】
本発明は、コンテナ脱着装置付車両を利用して移動可能な移動式保冷コンテナに関する。
【背景技術】
【０００２】
特許文献１に記載の発明は、庫内の商品収納スペースを小さくすることなく、庫内の上部および下部も効率よく冷却することができるとともに、庫内に商品が収納された状態でも、庫内に寒剤を収納することができる保冷コンテナを得るにある。すなわち、開閉扉を備える保冷コンテナ本体と、この保冷コンテナ本体の庫内上部に設けた蓄冷剤、ドライアイス、氷等の寒剤を収納する上部冷却スペースと、前記保冷コンテナ本体の庫内底部に設けた蓄冷剤、ドライアイス、氷等の寒剤を収納する底部冷却スペースとで保冷コンテナを構成している。
【０００３】
特許文献２に記載の発明は、冷蔵保管装置の製造原価低減を図りながら、複数の荷室内の温度（保管温度）を適切に制御する。すなわち、第１荷室Ａ内の温度に基づいて第１、２送風機１３１、１３２を制御し、第２荷室Ｂ内の温度に基づいて第３送風機１３３を制御する。これにより、１つのクーラユニット１００にて保管温度の異なる第１、２荷室Ａ、Ｂを制御することができるので、冷蔵保管装置の構造を簡素化することができる。したがって、冷蔵保管装置の製造原価低減を図りながら、複数の荷室内の温度（保管温度）を適切に制御することができる。
【先行技術文献】
【特許文献】
【０００４】
【特許文献１】特開２０１０−７１５９６号公報
【特許文献２】特開２００２−６２０１３号公報
【発明の概要】
【発明が解決しようとする課題】
【０００５】
しかしながら、特許文献１の発明は、蓄冷剤を利用するため、大型容量のものでは、ドライアイスなどにより、酸欠になるなどの問題がある。
【０００６】
また、一方、特許文献２の発明は、蒸気圧縮式冷凍サイクルＲｃが、動力を断続可能に伝達する電磁クラッチを介して走行用エンジンから動力を得て冷媒を吸入圧縮する圧縮機２００であり、２１０は圧縮機２００から吐出する冷媒中から冷凍機油（潤滑油）を分離抽出するオイルセパレータであり、このオイルセパレータ２１０にて分離された冷凍機油は、所定の圧力損失を有するキャピラリチューブ２１１を介して圧縮機２００の吸入側に戻される。したがって、走行用エンジンの動力が小さいときには、適用が困難である。
【０００７】
そこで、保冷コンテナを、蓄冷剤、あるいは、走行用エンジンの動力を利用しないで、保管物を移動式で保冷することを課題とする。
【課題を解決するための手段】
【０００８】
上記課題に鑑み、請求項１の発明は、後部又は側部に扉を設けた箱体と、箱体の底板に形成される前脚と、箱体の底板に形成されるローラ付後脚と、コンテナ脱着装置付き車両に搭載する場合に案内するガイドと、前記箱体を前記コンテナ脱着装置付き車両に固縛する固縛装置と、前記箱体の前板に固定される掛合部材と、前記箱体の内部に設けた発電機と、該発電機から電気の供給を受ける前記箱体内を保冷する保冷装置と、を備え、コンテナ脱着装置付車両に搭載されるときには、前記コンテナ脱着装置付き車両のフックで前記掛合部材を引っ掛けて前記車両の前方に移動させ、コンテナ脱着装置付車両から降ろすときには、前記コンテナ脱着装置付き車両のフックで前記掛合部材を引っ掛けて前記車両の後方に移動させることを特徴とする移動式保冷コンテナである。
【発明の効果】
【０００９】
本発明は以上説明したように構成されているので、保冷コンテナを、蓄冷剤、あるいは、走行用エンジンの動力を利用しないで、保管物を移動式で保冷することができる。車両へ搭載状態、あるいは、地面での設置状態のいずれでも保冷が可能である。
【図面の簡単な説明】
【００１０】
【図１】本発明の一実施形態の移動式保冷コンテナ１の正面図である。
【図２】移動式保冷コンテナ１の右側面図である。
【図３】移動式保冷コンテナ１の左側面図である。
【図４】移動式保冷コンテナ１の平面図である。
【図５】移動式保冷コンテナ１の底面図である。
【図６】コンテナ脱着装置付車両１００に移動式保冷コンテナ１が脱着される様子を示す説明図である。
【発明を実施するための形態】
【００１１】
以下に、本発明の好適な一実施形態である移動式保冷コンテナ１について図面を参照して説明する。
【００１２】
移動式保冷コンテナ１は、後部に扉２を設けた箱体３と、箱体３の底板３０の前部下面に形成される前脚４と、箱体３の底板３０の後部下面に形成されるローラ付後脚５と、コンテナ脱着装置付車両１００に搭載する場合に案内するため底板３０の下面にガイド６と、箱体３をコンテナ脱着装置付車両１００に固縛するために底板３０の下面に設けたピンを備えた固縛装置７と、箱体３の前板３１に固定される掛合部材８と、箱体３の内部に設けた発電機９と、発電機９から電気の供給を受ける箱体３内を保冷する保冷装置１０と、を備えている。そして、コンテナ脱着装置付車両１００に搭載されるときには、コンテナ脱着装置付車両１００のフック１０１で掛合部材８を引っ掛けてコンテナ脱着装置付車両１００の前方に移動させ、コンテナ脱着装置付車両１００から降ろすときには、前記コンテナ脱着装置付車両１００のフック１０１で掛合部材８を引っ掛けて車両１００の後方に移動させる。
【００１３】
箱体３はアルミニウム等から構成される底板３０、前板３１、天板３２、側板３３，３４を備えている。扉２は側板３３，３４に観音開き構造で連結している。それぞれの板は２枚構造パネルであり、その隙間にはスチレンフォーム等の断熱材が形成されている。
【００１４】
掛合部材８の下部には支持構造体１１を設けてある。支持構造体１１の下部に前脚４が固定される。
【００１５】
発電機９と保冷装置１０は、機械室１２に収容され、荷室１３とは仕切り壁１４で区画されている。発電機９と保冷装置１０とは電線１５で、モータ１６を介在させて接続され、発電機９からモータ１６に電気が供給されてモータ１６が駆動され、モータ１６により、保冷装置１０が作動するようになっている。
【００１６】
発電機９はあらかじめガソリンとオイルを供給しておくことで発電を行うエンジン内蔵型発電機である。オイル給油口にオイルを供給し、燃料給油キャップを外し、注入口のレベル(給油限界位置)までガソリンを供給し、燃料給油キャップつまみを開の位置に合わせ、エンジンスイッチを運転の位置に合わせ、始動グリップを引く等によってエンジンがかかるようになっている。三相交流電源を採用する。なお、単相交流電源を採用し、2つのインバーターを直列あるいは並列に切り換えてもよい。100Vの出力、200Vの出力など各種電圧にも対応する。発電機９からの排気ガスは箱体３に連通パイプを設けて外部に排気する。
【００１７】
保冷装置１０は、空気を冷却する蒸発器（冷却用熱交換器）を備え、この蒸発器は、冷媒と空気とを熱交換することにより冷媒を蒸発させて冷凍能力を得る蒸気圧縮式冷凍サイクルの低圧側熱交換器である。この保冷装置１０は発電機９から電力供給で駆動する。また、発電機９からではなく、コンセントからの外部電力も利用できる。保冷装置１０は、蒸発器を収納するとともに、空気の通路を構成するケーシングを備え、このケーシングには、荷室１３内の空気を取り込む吸入口、及びケーシング内に吸入された空気を荷室１３内に吹き出す吹出口が形成されている。
【００１８】
また、ケーシング内のうち吸入口に対応する部位には、軸流式の送風機が収納されており、これら送風機は、吸入口に配設されて荷室１３内の温度を検出する温度センサの検出温度に基づいて電子制御装置により制御される。
【００１９】
保冷装置１０は、発電機９からの電気により駆動するモータ１６が動力源となって冷媒を吸入圧縮する圧縮機と、圧縮機から吐出した高温高圧冷媒と空気（荷室外空気）と熱交換して冷媒を凝縮させる凝縮器と、凝縮器から流出する冷媒を液相冷媒と気相冷媒とに分離して液相冷媒を流出させるとともに、サイクル中の余剰冷媒を蓄えるレシーバと、レシーバからの液相冷媒を減圧する膨張弁又はキャピラリーチューブと、液相を蒸発させる蒸発器と、蒸発器から流出する冷媒を液相冷媒と気相冷媒とに分離して気相冷媒を圧縮機の吸入側に流出させるアキュムレータと、を備えている。
【００２０】
温度センサの検出温度が所定温度（本実施形態では、５℃）以上のときには、送風機を稼働させることにより、荷室１３内から空気を吸入し、その吸入した空気を蒸発器に通過させて冷却した後、冷却した空気を荷室１３内に吹き出すように荷室１３と蒸発器との間で空気を循環させる。
【００２１】
そして、温度センサの検出温度が所定温度（本実施形態では、５℃）を下回るときには、送風機を停止させて荷室１３内の冷却を停止する。
【００２２】
送風機が停止しているときには、モータ１６を停止して冷凍サイクル（圧縮機）を停止させ、一方、送風機が稼働しているときには、モータ１６を駆動して冷凍サイクル（圧縮機）を稼働させる。
【００２３】
また、上述の実施形態では、軸流式ファン（プロペラファン）を有する送風機を送風手段として用いたが、本発明はこれに限定されるものではなく、遠心式ファンや横流ファンを用いた送風機を送風手段に用いてもよい。
【００２４】
実施形態の動作、作用効果を説明する。コンテナ脱着装置付車両１００に移動式保冷コンテナ１が積載されて移動するときには、図７に示す通り、掛合部８にフック１０１が掛けられて、アーム１０２によって、移動式保冷コンテナ１を長手方向に移動させて装着させる。装着作業は円滑に簡単に行うことができる。例えば、医療廃棄物等の回収には、廃棄物を積載した移動式保冷コンテナ１をコンテナ脱着装置付車両１００に搭載し、発電機９を稼動させることで、保冷装置１０を駆動させて荷室１３内の保冷を行うことができ、温度調整も行うことができるので、感染性廃棄物等が含まれる医療廃棄物等の搬送に衛生面で好適である。
【００２５】
一方、コンテナ脱着装置付車両１００から降ろされて地面に設置されるときには、アーム１０２によって移動式保冷コンテナ１を長手方向に移動させてコンテナ脱着装置付車両１００から離脱させる。離脱作業は円滑に簡単に行うことができる。例えば、医療廃棄物等の回収には、この移動式保冷コンテナ１をコンテナ脱着装置付車両１００から積み下ろして地面において、発電機９を稼動させることで、保冷装置１０を駆動させて荷室１３内の保冷を行うことができ、温度調整も行うことができるので、感染性廃棄物等が含まれる医療廃棄物等の搬送に衛生面で好適である。発電機９からの電力供給にかえて、保冷装置１０はコンセントから電源の供給を受けることも出来る。
【００２６】
なお、本発明の実施の形態は、下記の実施形態に何ら限定されるものではなく、本発明の技術的思想を逸脱しない範囲において、当該技術的範囲に属する限り種々の改変等の形態を採り得る。必要に応じて電磁クラッチを設け、モータ１６の動力を遮断、連結してもよい。
【符号の説明】
【００２７】
１・・・移動式保冷コンテナ
２・・・扉
３・・・箱体
４・・・前脚
５・・・ローラ付後脚
６・・・ガイド
７・・・固縛装置
８・・・掛合部材
９・・・発電機
１０・・・保冷装置
３０・・・底板
３１・・・前板
３２・・・天板
３３，３４・・・側板
１１・・・支持構造体
１２・・・機械室
１３・・・荷室
１４・・・仕切り壁
１５・・・電線
１６・・・モータ
１００・・・コンテナ脱着装置付車両
１０１・・・フック
１０２・・・アーム
【図１】
2012056631.tif 000003
【図２】
2012056631.tif 000004
【図３】
2012056631.tif 000005
【図４】
2012056631.tif 000006
【図５】
2012056631.tif 000007
【図６】
2012056631.tif 000008